(57)【特許請求の範囲】
【請求項１】
像を複写シートに印刷するように構成された電子写真式装置において、
前記複写シート上に像を処理して記録するイメージング装置と、
前記像を現像する像現像装置と、
前記像を前記複写シート上に転写する転写装置と、
前記複写シート上に前記像を永久に定着させるために前記複写シートが搬送されるニップをその間に形成する定着ロール及び加圧ロールを含み、前記複写シート上に前記像を定着させる定着器とを備え、前記定着ロールが、異なる媒体幅を加熱するための複数のタップを有する単一の抵抗トレースを備えるヒータを含み、前記複数のタップのうちの１つが前記単一の抵抗トレースのほぼ中央に配置され、前記単一の抵抗トレースのほぼ中央にある前記複数のタップのうちの１つが共通タップであり、
前記抵抗トレースの長手方向の一側の端部には第１端部タップが配置され、他側の端部には第２端部タップが配置され、
前記第１、第２端部タップのそれぞれと前記共通タップの間には、中間タップが配置され、
前記共通タップは、前記抵抗トレースの短手方向の一側に配置され、前記中間タップは、前記抵抗トレースの短手方向の他側に配置され、
前記第１端部タップは、前記抵抗トレースの長手方向の前記一側に設けられた端部コネクタパッドに接続されており、前記第２端部タップは、前記抵抗トレースの長手方向の前記他側に設けられた端部コネクタパッドに接続され、
前記共通タップは、前記抵抗トレースの長手方向の前記一側に設けられた共通コネクタパッドに接続され、
２つの前記中間タップは、導電性トレースにより結合されて、前記抵抗トレースの長手方向の前記他側に設けられた中間コネクタパッドに接続されている、
電子写真式装置。
【請求項２】
前記複数のタップが、複数の導電性トレースを備える、請求項１に記載の電子写真式装置。
【請求項３】
前記複数の導電性トレースが前記単一の抵抗トレースの反対側の端部に端部トレースを含む、請求項２に記載の電子写真式装置。
【請求項４】
前記単一の抵抗トレースが、低温領域補償部を含むように構成される、請求項３に記載の電子写真式装置。
【請求項５】
前記低温領域補償部が、前記単一の抵抗トレース内に縮小された領域を含む、請求項４に記載の電子写真式装置。
【請求項６】
前記縮小された領域が、タップの反対側の前記単一の抵抗トレースに、前記単一の抵抗トレース内部に配置される、請求項５に記載の電子写真式装置。
【請求項７】
定着器を含む電子写真式印刷装置において、前記定着器が、
加圧ロールと、
シート上に像を永久に定着させるために前記シートが搬送されるニップをその間に形成する定着ロールとを備え、前記定着ロールが、異なるシート幅を加熱する複数のタップを有する単一の抵抗トレースを有するヒータを含み、前記複数のタップが、前記単一の抵抗トレースの中央に配置されたタップを含み、
前記単一の抵抗トレースの前記中央における前記タップが共通タップであり、前記共通タップが、前記単一の抵抗トレースの異なる加熱領域を加熱するときに専用の共通ラインとして機能し、
前記抵抗トレースの長手方向の一側の端部には第１端部タップが配置され、他側の端部には第２端部タップが配置され、
前記第１、第２端部タップのそれぞれと前記共通タップの間には、中間タップが配置され、
前記共通タップは、前記抵抗トレースの短手方向の一側に配置され、前記中間タップは、前記抵抗トレースの短手方向の他側に配置され、
前記第１端部タップは、前記抵抗トレースの長手方向の前記一側に設けられた端部コネクタパッドに接続されており、前記第２端部タップは、前記抵抗トレースの長手方向の前記他側に設けられた端部コネクタパッドに接続され、
前記共通タップは、前記抵抗トレースの長手方向の前記一側に設けられた共通コネクタパッドに接続され、
２つの前記中間タップは、導電性トレースにより結合されて、前記抵抗トレースの長手方向の前記他側に設けられた中間コネクタパッドに接続されている、
電子写真式印刷装置。
【請求項８】
前記単一の抵抗トレースの前記中央における前記タップが、前記単一の抵抗トレースの下流側に配置される、請求項７に記載の電子写真式印刷装置。
【請求項９】
前記単一の抵抗トレースの前記中央における前記タップの反対側の前記単一の抵抗トレース内に配置される低温領域補償部を含む、請求項７に記載の電子写真式印刷装置。
【請求項１０】
前記低温領域補償部が、前記単一の抵抗トレースのくぼみである、請求項９に記載の電子写真式印刷装置。
【請求項１１】
前記単一の抵抗トレースが、前記単一の抵抗トレースの片面に１つのくぼみを含み、前記単一の抵抗トレースの反対面に１つのくぼみを含む、請求項１０に記載の電子写真式印刷装置。
【請求項１２】
前記単一の抵抗トレースが、低温領域補償のために、その片面に２つのくぼみを含み、その別の面に１つだけのくぼみを含む、請求項７に記載の電子写真式印刷装置。
【請求項１３】
複写シートに像を印刷するように構成された印刷装置において、
前記複写シート上に像を処理して記録するイメージング装置と、
前記像を現像する像現像装置と、
前記像を前記複写シート上に転写する転写装置と、
前記複写シート上に前記像を永久に定着させるために前記複写シートが搬送されるニップをその間に形成する定着ロール及び加圧ロールを含み、前記複写シート上に前記像を定着させるための定着器とを備え、前記定着ロールが、単一の抵抗トレースと、前記単一の抵抗トレース内にタップを有する複数の導電性トレースとを有するヒータを含み、前記単一の抵抗トレースが、その中央部において共通タップを含み、
前記抵抗トレースの長手方向の一側の端部には第１端部タップが配置され、他側の端部には第２端部タップが配置され、
前記第１、第２端部タップのそれぞれと前記共通タップの間には、中間タップが配置され、
前記共通タップは、前記抵抗トレースの短手方向の一側に配置され、前記中間タップは、前記抵抗トレースの短手方向の他側に配置され、
前記第１端部タップは、前記抵抗トレースの長手方向の前記一側に設けられた端部コネクタパッドに接続されており、前記第２端部タップは、前記抵抗トレースの長手方向の前記他側に設けられた端部コネクタパッドに接続され、
前記共通タップは、前記抵抗トレースの長手方向の前記一側に設けられた共通コネクタパッドに接続され、
２つの前記中間タップは、導電性トレースにより結合されて、前記抵抗トレースの長手方向の前記他側に設けられた中間コネクタパッドに接続されている、
印刷装置。
【請求項１４】
前記単一の抵抗トレースの前記中央部における前記タップが、前記単一の抵抗トレースの異なる加熱領域を加熱するときに専用の共通ラインとして使用される、請求項１３に記載の印刷装置。
【請求項１５】
前記単一の抵抗トレースが、前記タップによって形成された低温領域を軽減するために前記タップの反対側の内部に縮小を含む、請求項１３に記載の印刷装置。
【請求項１６】
前記単一の抵抗トレースが、その端部において、シリアル制御のためにその中央部とは異なる抵抗率レベルを有する、請求項１３に記載の印刷装置。
【請求項１７】
前記単一の抵抗トレースおよび前記複数の導電性トレースが、セラミック基材に搭載される、請求項１６に記載の印刷装置。
【請求項１８】
前記共通タップが、０ボルトである、請求項１３に記載の印刷装置。
【発明の詳細な説明】
【技術分野】
【０００１】
本発明は、静電写真式複写機に関し、より具体的には、複数の用紙幅を処理するように適合され且つ中央登録機に特に有用である定着器に関する。
【背景技術】
【０００２】
静電写真又は印刷又は複写として一般に知られている静電写真式印刷において、重要な処理ステップは「定着」として知られている。静電写真プロセスの定着ステップにおいて、枚葉紙などのイメージング基材上に像様に配置されたトナーなどの乾式マーキング材料は、基材上に永久にトナーを溶融又は定着させるために熱及び／又は圧力を受ける。このようにして、耐久性のある汚れのない画像が基材上に描かれる。
【０００３】
商業プリンタにおいて使用される定着装置の最も一般的な設計は、典型的には基材を通過させるためのニップをそれらの間に形成する定着ロール及び加圧ロールと称される２つのロールを含む。典型的には、定着ロールは、さらに、その内部に配置された、それを通る電流に応じて熱を放射する１つ以上の加熱素子を含む。加熱素子からの熱は、熱及び圧力の組み合わせが像を首尾よく定着させるように、定着されるべき像を有する基材の側に順次接触する定着ロールの表面を通過する。例えば、米国特許第７，１９３，１８０号明細書に示されているように、基材と、基材上に形成された第１の抵抗トレースと、第１のトレースと少なくとも部分的に重複するように形成された第２の抵抗トレースとを備えるヒータを有する定着ベルトの加熱用に適合された抵抗ヒータが開示されている。
【０００４】
はがきサイズのシートからロールの全長に延びるシートに至るまで異なるサイズの用紙が定着装置を通過することができるという事実を考慮して定着器において設備が形成されることができる。さらに、特定のサイズのシートがニップを通って供給されているという事実を考慮するために加熱素子又は定着ロール内部の素子を制御することが知られている。例えば、米国特許第６，３５３，７１８号明細書において、定着ロールは、その内部の２つの並列ランプ又は加熱素子とともに示されており、各場合において全てが直列に接続されている熱発生材料の多数の小さい部分とともに熱発生材料の比較的長い主要部を含む。各ランプ内では、主要部は、定着ロールの特定の端部に向けて配置されるとともに、比較的小さい部分は、定着ロールの反対側の端部に向けて配置される。各ランプ内の加熱素子のこの特定の構成は、比較的高温及び比較的低温の端部を有する。すなわち、いずれかのランプに電力が供給されると、ランプの一端は、ランプの他端よりも多くの熱を大いに発生する。
【０００５】
米国特許第７，２２８，０８２号明細書は、シート上に像を定着させる定着器を含む印刷装置を開示している。定着器は、選択的に作動可能な複数の所定サイズの定着領域を有する無端ベルトを含み、複数の所定サイズの定着領域は、ベルトのプロセス方向に沿って略平行に配置される。手段は、選択された所定サイズのシートのうちの１つに対応するように複数の所定サイズの定着領域のうちの１つ以上を活性化するために含まれる。この設計のマルチタップシリーズ制御セラミックヒータは、熱発生材料への導体界面が局所的にヒータ温度を低下させる低温領域を形成し且つ定着ロール内に半径方向の低温領域を形成して画像品質の問題を引き起こすという点で欠点を有する。
【発明の概要】
【発明が解決しようとする課題】
【０００７】
現在のいずれかの中央登録固体ヒータは、例えば、米国特許第５，１７１，９６９号明細書；米国特許第６，４２３，９４１号明細書；米国特許第６，５８０，８８３号明細書及び米国特許第７，１９３，１８１号明細書に示されるように、１つのトレース上の複数のタップイン間を切り替えるために複数の加熱トレース又はリレーを必要とする。複数の加熱トレースは、１つの加熱トレースのみが熱伝達にとって最適な位置にすることができるため、伝熱性能、それゆえに拡張性を損なうことが示されている。中間の加熱トレース導電性タップインを有する構成は、ラティチュードを生じさせて損なう低温領域を有し、余分なピンによる大きな引き出し接続を必要とする。複数のタップイン設計を有する現在の単一の加熱トレースは、複数のトレース設計と比較して余分な引き出しコネクタピンを必要とし、シリアル制御又は媒体幅の完全な知識のいずれかを必要とする。
【課題を解決するための手段】
【０００８】
以前の固体ヒータの上述した欠点への回答において、異なる媒体幅を加熱するために複数のタップインを有する単一の抵抗加熱トレースを含むようにヒータを構成することによって画像形成されたシートに接触する定着器の表面における均一性を提供する中央登録ヒータを含む改善された定着器が開示されている。タップインは、加熱トレースのちょうど中央に配置される。そして、このラインは、異なる加熱領域を加熱するときに専用の共通部として機能することができる。
開示されたプリンタ及び定着システムは、従来の制御システムの適切な動作によって動作されて制御される。多数の先行特許及び商業製品によって教示されているように、従来の又は汎用マイクロプロセッサについてのソフトウェア命令によってイメージング、印刷、紙処理並びに他の制御機能及びロジックをプログラミングして実行することは周知であって好ましい。そのようなプログラミング又はソフトウェアは、勿論、利用される特定の機能、ソフトウェアタイプ及びマイクロプロセッサ又は他のコンピュータシステムに応じて変化することができるが、本願明細書において提供されるもの及び／又はコンピュータ技術のソフトウェアにおける一般的な知識とともに従来の機能の事前知識など、機能的記述が利用可能であるか又は機能的記述から過度の実験をすることなく容易にプログラミング可能である。あるいは、いかなる開示された制御システム又は方法も、標準論理回路又は単一チップＶＬＳＩ設計を使用して部分的又は完全にハードウェアにおいて実装されることができる。
【０００９】
本願明細書において使用される場合、用語「プリンタ」又は「複写装置」は、特許請求の範囲に別段の定めがない限り、様々なプリンタ、複写機又は多機能機又はシステム、静電写真又はその他を広く包含する。本願明細書における用語「シート」は、予め切断されているか又は最初にウェブ供給されているかどうかにかかわらず、その上に像を印刷するための任意の薄い物理的シート又は用紙、プラスチック又は他の使用可能な物理的基材を指す。編集された印刷された出力シートの丁合セットは、代わりに文書、冊子などと称されることができる。編集されたセットにカバー又は他のインサートを追加するためにインターポーザ又はインサータを使用することも知られている。
【００１０】
主題の装置又は方法の特定の構成要素又はその代替物に関して、通常の場合のように、いくつかのそのような構成要素は、本願明細書において引用された技術からのものを含む本願明細書において追加的に又は代替的に使用されることができる他の装置又は用途においてそれ自体公知であることが理解される。例えば、本願明細書において例示された特定の構成要素の搭載、構成要素の作動又は構成要素の駆動システムの多くが単なる例示であり、同じ新規な動作及び機能が知られている多くの他者又は容易に利用可能な代替物によって提供されることができることが、各技術者及び他者によって理解される。
【００１１】
上述した及び他の特徴及び利点のいくつかは、以下の例及び特許請求の範囲に記載される特定の装置及びその動作又は方法から当業者にとって明らかであろう。それゆえに、それらは、図面（ほぼ縮尺どおりである）を含むこれらの特定の実施形態のこの説明からより良好に理解されるであろう。
【図面の簡単な説明】
【００１２】
【図１】図１は、本開示の定着装置の第１の実施形態を含む例示的なトナー像静電写真装置の関連要素を示す立面図である。
【図２】図２は、図１の定着装置の拡大概略端面図である。
【図３】図３は、異なる媒体幅を加熱するための複数のタップインを有する単一の抵抗トレースを使用する図２の改善された定着器の第１の実施形態のヒータ部の部分平面図である。
【図４】図４は、低温領域を軽減する単一の抵抗トレースを使用する改善された定着器の第２の実施形態のヒータ部の部分平面図である。
【図５】図５は、異なる媒体幅を加熱するための複数のタップインを有する単一の抵抗トレースを使用する図２の改善された定着器の代替実施形態のヒータ部の部分平面図である。
【図６】図６は、低温領域を軽減する単一の抵抗トレースを使用する改善された定着器の他の実施形態のヒータ部の部分平面図である。
【発明を実施するための形態】
【００１３】
図１を参照すると、静電写真式又はトナーイメージング装置８が示されている。周知であるように、イメージング可能な表面１２を有し且つ方向１３において回転可能な電荷受容体又は感光体１０は、帯電装置１４によって均一に帯電され、露光装置１６によって像様に露光され、表面１２に静電潜像を形成する。その後、潜像は、例えば、そのような潜像に帯電したトナー粒子２２の供給を適用するための現像ロール２０を含む現像装置１８によって現像される。現像ロール２０は、当業者によく知られているように、磁気ブラシロール又はドナーロールなどの様々な設計のいずれかとすることができる。帯電したトナー粒子２２は、潜像の適切に帯電した領域に付着する。そして、感光体１０の表面は、矢印１３によって示されるように、一般に３０として示される転写領域に移動する。同時に、所望の像が印刷されることになる印刷シート２４は、シート供給スタック３６から引き出され、シート経路４０に沿って転写領域３０に搬送される。
【００１４】
転写領域３０において、印刷シート２４は、感光体１０の表面１２と接触するか又は少なくとも近接し、この時点でトナー粒子が担持される。転写領域３０におけるコロトロン又は他の帯電源３２は、感光体１０上のトナー像を印刷シート２４に対して静電的に転写させる。そして、印刷シート２４は、当該技術分野において周知のように、本開示の高精度加熱及び定着装置２００を有する定着ステーションを含む後続ステーションに、そして排出トレイ６０に転送される。表面１２から印刷シート２４へのトナー像のそのような転写に続いて、表面１２上に残っているいかなる残留トナー粒子も、例えば、クリーニングブレード４６を含むトナー像担持面清掃装置４４によって除去される。
【００１５】
さらに示されるように、再生装置８は、中央プロセッサユニット（ＣＰＵ）を有する好ましくはプログラミング可能であって内蔵型の専用ミニコンピュータである参照符号９０によって一般に示されるコントローラ又は電子制御サブシステム（ＥＳＳ）と、電子記憶装置１０２と、ディスプレイ又はユーザインターフェース（ＵＩ）１００とを含む。ＵＩ１００において、ユーザは、印刷されるべき複数の異なる所定サイズのシートのうちの１つを選択することができる。従来のＥＳＳ９０は、センサ、ルックアップテーブル２０２及び接続の助けを借りて、生成されて定着されるトナー像の画素数など、画像データを読み取り、捕捉し、準備し、処理することができる。そのため、それは、本開示の定着装置２００を含む装置８の構成要素及び他のサブシステムについての主制御システムである。
【００１６】
図２を参照すると、本開示の定着装置２００が詳細に図示されており、静電式複写機８における未定着トナー像２１３の均一且つ高品質な加熱に適している。図示されるように、定着装置２００は、高い導電性のセラミック定着ロール部材２１０によって定着ニップ２０６を形成して搭載される回転可能な加圧部材２０４を含む。ヒータ９０Ａは、定着ロールベルト２１０の内径と接触して配置される。ヒータ９０Ｂは、設計構成による必要に応じて任意である。その上に未定着トナー像２１３を担持する複写シート２４は、それゆえに、高品質の定着のために定着ニップ２０６を通って矢印２１１の方向に供給されることができる。
【００１７】
図３及び図４において、特に中央登録事務機における表面下急速定着（ＳＵＲＦ）に適している、本開示にかかる改善された加熱素子の設計構成が開示されている。これらの構成は、異なる媒体幅を加熱するための複数のタップインを有する単一の抵抗加熱トレースを使用する。それらは、タップが異なる加熱領域を発射するときに専用の共通部として機能することができる加熱トレースの中央に配置される点で独特である。図３及び図４に示されるような構成において、端部トレースの高い側は、定着引き出しコネクタにおいて必要なピン数を削減するために定着ハーネス内でともに締結されることができる。
【００１８】
ここで特に図３を参照すると、ヒータ９０Ａは、単一の抵抗素子又はトレース２２０を含んで示されている。抵抗トレース２２０は、加熱素子を収容することができるセラミック基材又は他の適切な構造体２２１に搭載される。抵抗トレース２２０は、印刷された抵抗である。印刷されたトレースは、セラミック基材上の印刷レイアウト上に蒸着された抵抗性インクから形成される。様々な電気素子が電気的に機能するインクによって印刷されることができ、そのような素子は、所定の誘電、抵抗、導電及び半導電特性を呈するように作ることができる。トレースは、抵抗性インク及び導電性インクによる導電性経路によって製造される。原則として、印刷された抵抗は、以下のように定義されることができる：
Ｒ＝Ω（Ｌ／Ａ）
ここで、Ｒ＝抵抗；
Ω＝単位体積あたりのインク又は抵抗のバルク抵抗率；
Ｌ＝抵抗性インクの長さ；及び
Ａ＝抵抗性インクの断面積である。抵抗性インクの断面積は、抵抗性インクの印刷厚さ（Ｔ）と幅（Ｗ）との積に順次等しい。これらのパラメータを代入すると、印刷された抵抗器の抵抗について以下の式が得られる。
Ｒ＝Ω（Ｌ／ＴＷ）
それゆえに、印刷された抵抗器の抵抗は、抵抗器を印刷するために使用されるインクのバルク抵抗率、抵抗性インクの長さ（Ｌ）、印刷された抵抗性インクの厚さ（Ｔ）及び印刷された抵抗性インクの幅（Ｗ）の関数である。それゆえに、異なる抵抗を有する抵抗器は、これらのパラメータ（Ｌ、Ｔ又はＷ）のいずれかを変えることによって定式化することができる。
【００１９】
図３に示されるヒータ構成９０Ａは、異なる媒体幅を加熱するための複数のタップインを有する単一の抵抗加熱トレースを使用する。以前の単一の抵抗トレース加熱素子とは異なり、開示された単一の抵抗トレース加熱素子は、異なる加熱領域を発射するときに専用の共通部として機能する加熱トレースの中央に配置されたタップを含む。図３のヒータについての適切な従来の電気回路は、電圧ドライバに対する共通接触パッド２３０及び第２の接触パッド２４０に対して抵抗器を介してそれぞれ電気的に接続された３つのセグメントを有するものを含む。この構成は、プロセス方向における両端及び一方の側に導電性経路を有する抵抗トレース２２０から構成される単一の抵抗素子を含む。抵抗トレース２２０の両端は、シリアル制御のために異なる抵抗率レベルを有することができる。共通部として称される単一の連続した導電性トレースは、抵抗トレース２２０の中央に接続されており、別個の導電性トレースは、抵抗トレース２２０の端部に接続されている。抵抗トレース２２０の端部及び中央部は、Ａ３及びＡ４シートなどに対応する異なる用紙幅についての加熱を可能とするための３つの別個の導電性トレースである。単一の加熱トレース２２０の中央に共通タップを配置することにより、異なる加熱領域を発射するときに切り替える必要がない専用の共通ラインが提供され、これは、単一のトレース設計の利益が良好であるのを可能とする。ヒータ９０Ａは、導電性トレースに沿ったコネクタパッド２４０、２４２及び２４４に電圧を印加することによって通常は加熱されることが理解されるべきである。コネクタパッド２３０は、０ボルトなどの共通電圧に維持される。
【００２０】
図４において、全ての点で図３におけるヒータと同じであり、さらに、低温領域補償部として機能することによってタップインによって形成された低温領域を軽減するようにタップイン及び抵抗トレース２２０の中央近傍の加熱トレースにおいて縮小２６０を含む単一トレース設計を提供する、図３におけるヒータ９０Ａの代替実施形態が示されている。示されるように、端部トレースの高い側（２４０、２４４）は、定着器引き出しコネクタにおいて必要なピン数を削減又は制限するように、異なる垂直層において定着ハーネス内又は抵抗素子内にともに締結されることができる。
【００２１】
共通ライン及び中央トレースの位置が切り替えられることを除き、図３と同じである他のヒータ構成９０Ａが図５に示されている。すなわち、図５は、電圧ドライバに接続された共通接触パッド３１０及び第２の接触パッド３２０を含む。この構成は、プロセス方向における両端及び一方の側に導電性経路を有する抵抗トレース２２０から構成される単一の抵抗素子を含む。抵抗トレース２２０の反対側の端部は、シリアル制御のために異なる抵抗率レベルを有することができる。共通部として称される単一の連続した導電性トレース３１０は、抵抗トレース２２０の中央に接続されており、別個の導電性トレースは、抵抗トレース２２０の端部に接続されている。抵抗トレース２２０の端部及び中央部は、Ａ３及びＡ４シートなどに対応する異なる用紙幅についての加熱を可能とするための３つの別個の導電性トレースである。ヒータ９０Ａは、導電性トレースに沿ったコネクタパッド３２０、３３０及び３４０に電圧を印加することによって通常は加熱される。コネクタパッド３１０は、０ボルトなどの共通電圧に維持される。
【００２２】
図６において、共通ライン及び中央トレースの位置が切り替えられることを除き、図４と同じであるヒータ９０Ａの他の代替実施形態が示されている。図６のヒータ構成は、低温領域補償部として機能することによってタップインによって形成された低温領域を軽減するようにタップイン及び抵抗トレース２２０の中央近傍の加熱トレースにおいて縮小２６０を含む単一トレース設計を提供する。端部トレースの高い側（３２０、３３０）は、定着器引き出しコネクタにおいて必要なピン数を削減又は制限するように、異なる垂直層において定着ハーネス内又は抵抗素子内にともに締結されることができることが理解されるべきである。
【００２３】
要約すると、本開示の実施形態は、１つのトレースにおいて複数のタップ間を切り替えるように複数の加熱トレース又はリレーのいずれかを必要とする中央登録固体ヒータの問題に対処する。複数の加熱トレースは、熱伝達性能、それゆえに拡張性に負の影響を与えることが示されている。複数のタップ設計による単一の加熱トレース構成は、複数のトレース設計と比べて余分な引き出しコネクタピンを必要とする。また、抵抗トレースと導電性トレースとの間の接触点においてセグメント化されたセラミック定着器ヒータにおける低温領域は問題がある。ヒータセグメントへの電気的接触は、画像領域内に必要とされ、以前のヒータ設計は、冷却のためにその時点で低温領域を呈する。本開示は、異なる媒体幅を加熱するための複数のタップインを有する単一の抵抗加熱トレースを提供することによってこれらの問題を解決し、加熱トレースの中央において右側にタップを配置する。これは、その後に異なる加熱領域を発射するときに専用の共通部として機能することができる単一ラインを提供する。さらに、タップインによって形成された低温領域を軽減するためにタップイン近傍の加熱トレースにおいて縮小が配置される。その結果、単一の専用共通ラインは、以前の単一トレース設計よりも少ないピン引き出しコネクタとともに達成される。
【図１】
0006757681.tif 000002
【図２】
0006757681.tif 000003
【図３】
0006757681.tif 000004
【図４】
0006757681.tif 000005
【図５】
0006757681.tif 000006
【図６】
0006757681.tif 000007